(57)【要約】【課題】立体画像の表示品質を向上した立体画像表示方法を遂行する表示装置を提供する。【解決手段】画素を有する表示パネルと、第２区間の間に前記画素に左眼画像又は右眼画像のうち何れか一つを印加し、前記第２区間より先行する第１区間の間、前記第２区間に前記画素に印加されるべき前記左眼画像又は前記右眼画像に基づいて、前記左眼画像又は前記右眼画像より小さい階調を有するように変換された変換画像を前記画素に印加するパネル駆動部と、を含む。【選択図】図１
2013198166.tif 000002
【特許請求の範囲】
【請求項１】
画素を有する表示パネルと、
第２区間の間に前記画素に左眼画像又は右眼画像のうち何れか一つを印加し、前記第２区間より先行する第１区間の間、前記第２区間に前記画素に印加されるべき前記左眼画像又は前記右眼画像に基づいて、前記左眼画像又は前記右眼画像より小さい階調を有するように変換された変換画像を前記画素に印加するパネル駆動部と、を含むことを特徴とする表示装置。
【請求項２】
画素を有する表示パネルと、
第２区間の間に前記画素に左眼画像又は右眼画像のうち何れか一つを印加し、前記第２区間より先行する第１区間の間、前記第２区間に前記画素に印加されるべき前記左眼画像又は前記右眼画像に基づいて、前記左眼画像又は前記右眼画像より大きい階調を有するように変換された変換画像を前記画素に印加するパネル駆動部と、を含むことを特徴とする表示装置。
【請求項３】
前記パネル駆動部は、前記変換画像が示す階調を、前記左眼画像又は前記右眼画像の階調に変換変数を乗算して生成することを特徴とする請求項１又は２に記載の表示装置。
【請求項４】
前記変換変数は、前記左眼画像の階調及び前記右眼画像の階調に従って可変することを特徴とする請求項３に記載の表示装置。
【請求項５】
前記パネル駆動部は、前記変換画像の階調値を保存したルックアップテーブルを使って前記変換画像を生成することを特徴とする請求項１又は２に記載の表示装置。
【請求項６】
前記表示パネルに光を提供する光源部と、前記光源部を駆動するための光源駆動部とをさらに含むことを特徴とする請求項１又は２に記載の表示装置。
【請求項７】
前記光源駆動部は、前記パネル駆動部と接続されて前記表示パネルに表示される画像に同期化され、前記光源部を駆動することを特徴とする請求項６に記載の表示装置。
【請求項８】
前記光源部は複数の光源ブロックを含み、前記複数の光源ブロックは前記表示パネルに表示される画像がスキャンされる方向に沿って順次に駆動されることを特徴とする請求項７に記載の表示装置。
【請求項９】
前記左眼画像及び前記右眼画像のうち何れか一つの全部又は一部の偏光を遮断する光変換部材をさらに含むことを特徴とする請求項１又は２に記載の表示装置。
【請求項１０】
前記光変換部材は、光変換メガネであることを特徴とする請求項９に記載の表示装置。
【請求項１１】
前記光変換部材は、前記表示パネル上に形成されるリターダユニットであることを特徴とする請求項９に記載の表示装置。
【発明の詳細な説明】
【技術分野】
【０００１】
本発明は立体画像表示方法及びそれを遂行する表示装置に係り、より詳しくは、表示品質を向上した立体画像表示方法及びそれを遂行する表示装置に関する。
【背景技術】
【０００２】
一般に液晶表示装置は２次元平面画像を表示する。最近、ゲーム、映画などの分野で３次元立体画像に対する需要が増加するにつれ、３次元立体画像を表示する液晶表示装置が開発されている。
【０００３】
通常、立体画像表示装置は、人の両眼を通じての両眼視差（ｂｉｎｏｃｕｌａｒ  ｐａｒａｌｌａｘ）の原理を利用して立体画像を表示する。例えば、人の両眼は、一定程度離れているので、それぞれの目で異なる角度から観察した画像が、脳内に入力される。人の脳は上記の画像を混合して上記の立体画像を認識する。
【０００４】
両眼視差を利用する立体画像表示装置の方式としては、メガネ方式（ｓｔｅｒｅｏｓｃｏｐｉｃ）と非メガネ方式（ａｕｔｏｓｔｅｒｅｏｓｃｏｐｉｃ）がある。メガネ方式には、偏光メガネを利用して両眼にそれぞれ左眼画像と右眼画像を選択的に透過する偏光メガネ（Ｐｏｌａｒｉｚｉｎｇ  Ｇｌａｓｓ）方式と、時間分割して左眼画像と右眼画像を周期的に表示し、この周期に同期された左眼シャッタと右眼シャッタを開閉する眼鏡をかけるシャッタメガネ（Ｓｈｕｔｔｅｒ  Ｇｌａｓｓ）方式などがある。
【０００５】
立体画像を視認する際、左眼画像が右眼に対して表示されるか、或いは右眼画像が左眼に対して表示されるというクロストーク現象が発生する問題点がある。
【０００６】
このクロストーク現象を防止するために画像データを調節するか、或いはシャッタメガネの動作又はバックライトの動作を調節する際に、表示パネルの輝度が減少し、結果的に立体画像の表示品質が落ちる問題点がある。
【先行技術文献】
【特許文献】
【０００７】
【特許文献１】米国特許出願公開２０１０−０２８９９７４号明細書
【特許文献２】米国特許出願公開２０１１−０２７３４６３号明細書
【特許文献３】米国特許出願公開２０１１−００９６１４６号明細書
【特許文献４】特開２００４−１６５７１３号明細書
【発明の概要】
【発明が解決しようとする課題】
【０００８】
本発明は上記従来の問題点に鑑みてなされたものであって、本発明の目的は、立体画像の表示品質を向上した立体画像表示方法を提供することにある。
【０００９】
本発明の他の目的は、前記立体画像表示方法を遂行する表示装置を提供することにある。
【課題を解決するための手段】
【００１０】
上述の本発明の目的を実現するための一実施形態に係る立体画像表示方法は、第１区間の間に左眼画像に基づいて前記左眼画像より小さい階調を有するように変換した変換左眼画像を表示パネルの画素に出力する段階、第２区間の間に前記左眼画像を前記画素に出力する段階、第３区間の間に右眼画像に基づいて前記右眼画像より小さい階調を有するように変換した変換右眼画像を前記画素に出力する段階及び第４区間の間に前記右眼画像を前記画素に出力する段階を含む。
【００１１】
本発明の一実施形態において、前記表示パネルは複数の表示ブロックを有することができる。前記立体画像表示方法は、前記表示ブロックのスキャニング方向に沿って前記表示ブロックに順次に光を提供する段階をさらに含むことができる。
【００１２】
本発明の一実施形態において、前記表示ブロックに光を提供する段階は、前記第２区間内で光を一時的に提供する段階及び前記第４区間内で光を一時的に提供する段階を含むことができる。
【００１３】
本発明の一実施形態において、前記立体画像表示方法は、前記左眼画像及び前記右眼画像に対応して選択的に光を遮断する光変換部材の動作を調節する段階をさらに含むことができる。
【００１４】
本発明の一実施形態において、前記光変換部材は、光変換メガネであってもよい。
【００１５】
本発明の一実施形態において、前記光変換部材は前記表示パネル上に配置されるリターダユニットであってもよい。
【００１６】
本発明の一実施形態において、前記変換左眼画像及び前記変換右眼画像は、前記左眼画像の階調及び前記右眼画像の階調に変換変数をかけて生成することができる。
【００１７】
本発明の一実施形態において、前記変換変数は、前記左眼画像の階調及び前記右眼画像の階調によって可変することができる。
【００１８】
本発明の一実施形態において、前記変換左眼画像及び前記変換右眼画像は、前記左眼画像の階調及び前記右眼画像の階調によるルックアップテーブルを使って生成することができる。
【００１９】
上述の本発明の他の実施形態に係る立体画像表示方法は、第１区間の間に左眼画像に基づいて前記左眼画像より大きい階調を有するように変換した変換左眼画像を表示パネルの画素に出力する段階、第２区間の間に前記左眼画像を前記画素に出力する段階、第３区間の間に右眼画像に基づいて前記右眼画像より大きい階調を有するように変換した変換右眼画像を前記画素に出力する段階及び第４区間の間に前記右眼画像を前記画素に出力する段階を含む。
【００２０】
本発明の一実施形態において、前記表示パネルは複数の表示ブロックを有することができる。前記立体画像表示方法は前記表示ブロックのスキャニング方向に沿って前記表示ブロックに順次に光を提供する段階をさらに含むことができる。
【００２１】
本発明の一実施形態において、前記表示ブロックに光を提供する段階は、前記第２区間内で光を一時的に提供する段階及び前記第４区間内で光を一時的に提供する段階を含むことができる。
【００２２】
本発明の一実施形態において、前記立体画像表示方法は前記左眼画像及び前記右眼画像に対応して選択的に光を遮断する光変換部材の動作を調節する段階をさらに含むことができる。
【００２３】
本発明の一実施形態において、前記光変換部材は光変換メガネであってもよい。
【００２４】
上述の本発明のまた他の実施形態に係る立体画像表示方法は、第１区間の間に左眼画像を表示パネルの画素に出力する段階、第２区間の間に前記左眼画像に基づいて前記左眼画像より小さい階調を有するように変換した変換左眼画像を前記画素に出力する段階、第３区間の間に右眼画像を前記画素に出力する段階及び第４区間の間に前記右眼画像に基づいて前記右眼画像より小さい階調を有するように変換した変換右眼画像を前記画素に出力する段階を含む。
【００２５】
本発明の一実施形態において、前記表示パネルは複数の表示ブロックを有することができる。前記立体画像表示方法は前記表示ブロックのスキャニング方向に沿って前記表示ブロックに順次に光を提供する段階をさらに含むことができる。
【００２６】
本発明の一実施形態において、前記表示ブロックに光を提供する段階は前記第１区間の後期区間及び前記第２区間の初期区間に光を一時的に提供する段階並びに前記第３区間の後期区間及び前記第４区間の初期区間に光を一時的に提供する段階を含むことができる。
【００２７】
本発明の一実施形態において、前記立体画像表示方法は前記左眼画像及び前記右眼画像に対応して選択的に光を遮断する光変換部材の動作を調節する段階をさらに含むことができる。
【００２８】
本発明の一実施形態において、前記光変換部材は光変換メガネであってもよい。
【００２９】
上述の本発明の一実施形態に係る表示装置は、複数の画素を有する表示パネル及びパネル駆動部を含む。前記パネル駆動部は第１区間の間に左眼画像に基づいて前記左眼画像より小さい階調を有するように変換した変換左眼画像を第１画素に出力し、第２区間の間に前記左眼画像を前記第１画素に出力し、第３区間の間に右眼画像に基づいて前記右眼画像より小さい階調を有するように変換した変換右眼画像を前記第１画素に出力し、第４区間の間に前記右眼画像を前記第１画素に出力する。
【００３０】
本発明の一実施形態において、前記表示パネルは複数の表示ブロックを有することができる。前記表示装置は前記表示ブロックのスキャニング方向に沿って前記表示ブロックに順次に光を提供する光源部をさらに含むことができる。
【００３１】
本発明の一実施形態において、前記光源部は前記第２区間内で光を一時的に提供し、前記第４区間内で光を一時的に提供することができる。
【００３２】
本発明の一実施形態において、前記表示装置は前記左眼画像及び前記右眼画像に対応して選択的に光を遮断する光変換部材をさらに含むことができる。
【００３３】
本発明の一実施形態において、前記光変換部材は光変換メガネであってもよい。
【００３４】
本発明の一実施形態において、前記光変換部材は前記表示パネル上に配置されるリターダユニットであってもよい。
【００３５】
本発明の一実施形態において、前記パネル駆動部は前記左眼画像の階調及び前記右眼画像の階調に変換変数をかけて前記変換左眼画像及び前記変換右眼画像を生成することができる。
【００３６】
本発明の一実施形態において、前記変換変数は前記左眼画像の階調及び前記右眼画像の階調に従って可変することができる。
【００３７】
本発明の一実施形態において、前記パネル駆動部は前記左眼画像の階調及び前記右眼画像の階調によるルックアップテーブルを使って前記変換左眼画像及び前記変換右眼画像を生成することができる。
【００３８】
本発明の一実施形態において、前記パネル駆動部は前記変換左眼画像及び前記変換右眼画像を生成するタイミング制御部を含むことができる。
【００３９】
本発明の一実施形態において、前記パネル駆動部は前記変換左眼画像及び前記変換右眼画像を生成するデータ駆動部を含むことができる。
【００４０】
上述の本発明の他の実施形態に係る表示装置は複数の画素を有する表示パネル及びパネル駆動部を含む。前記パネル駆動部は、第１区間の間に左眼画像に基づいて前記左眼画像より大きい階調を有するように変換した変換左眼画像を第１画素に出力し、第２区間の間に前記左眼画像を前記第１画素に出力し、第３区間の間に右眼画像に基づいて前記右眼画像より大きい階調を有するように変換した変換右眼画像を前記第１画素に出力し、第４区間の間に前記右眼画像を前記第１画素に出力する。
【００４１】
本発明の一実施形態において、前記表示パネルは複数の表示ブロックを有することができる。前記表示装置は前記表示ブロックのスキャニング方向に沿って前記表示ブロックに順次に光を提供する光源部をさらに含むことができる。
【００４２】
本発明の一実施形態において、前記光源部は前記第２区間内で光を一時的に提供して前記第４区間内で光を一時的に提供することができる。
【００４３】
本発明の一実施形態において、前記表示装置は前記左眼画像及び前記右眼画像に対応して選択的に光を遮断する光変換部材をさらに含むことができる。
【００４４】
本発明の一実施形態において、前記光変換部材は光変換メガネであってもよい。
【００４５】
上述の本発明のまた他の実施形態に係る表示装置は、複数の画素を有する表示パネル及びパネル駆動部を含む。前記パネル駆動部は第１区間の間に左眼画像を第１画素に出力し、第２区間の間に前記左眼画像に基づいて前記左眼画像より小さい階調を有するように変換した変換左眼画像を前記第１画素に出力し、第３区間の間に右眼画像を前記第１画素に出力し、第４区間の間に前記右眼画像に基づいて前記右眼画像より小さい階調を有するように変換した変換右眼画像を前記第１画素に出力する。
【００４６】
本発明の一実施形態において、前記表示パネルは複数の表示ブロックを有することができる。前記表示装置は前記表示ブロックのスキャニング方向に沿って前記表示ブロックに順次に光を提供する光源部をさらに含むことができる。
【００４７】
本発明の一実施形態において、前記光源部は前記第２区間内で光を一時的に提供して前記第４区間内で光を一時的に提供することができる。
【００４８】
本発明の一実施形態において、前記表示装置は前記左眼画像及び前記右眼画像に対応して選択的に光を遮断する光変換部材をさらに含むことができる。
【００４９】
本発明の一実施形態において、前記光変換部材は光変換メガネであってもよい。
【００５０】
上述の本発明のまた他の実施形態に係る表示装置は表示パネル及びパネル駆動部を含む。前記表示パネルは複数の画素を有する。前記パネル駆動部は、第２区間の間に左眼画像又は右眼画像のうち何れか一つを前記画素に印加し、前記第２区間より先行する第１区間の間に、前記第２区間に前記画素に印加されるべき前記左眼画像又は前記右眼画像に基づいて、前記左眼画像又は前記右眼画像より小さい階調を有するように変換した変換画像を前記画素に印加する。
【００５１】
本発明の一実施形態において、前記パネル駆動部は前記変換画像が示す階調を前記左眼画像又は前記右眼画像の階調に変換変数を乗算して生成することができる。
【００５２】
本発明の一実施形態において、前記変換変数は前記左眼画像の階調及び前記右眼画像の階調に従って可変することができる。
【００５３】
本発明の一実施形態において、前記パネル駆動部は前記変換画像の階調値を保存したルックアップテーブルを使って前記変換画像を生成することができる。
【００５４】
本発明の一実施形態において、前記表示装置は前記表示パネルに光を提供する光源部と、前記光源部を駆動するための光源駆動部をさらに含むことができる。
【００５５】
本発明の一実施形態において、前記光源駆動部は前記パネル駆動部と接続されて前記表示パネルに表示される画像に同期化されて前記光源部を駆動することができる。
【００５６】
本発明の一実施形態において、前記光源部は複数の光源ブロックを含み、前記複数の光源ブロックは前記表示パネルに表示される画像がスキャンされる方向に沿って順次に駆動されることができる。
【００５７】
本発明の一実施形態において、前記表示装置は前記左眼画像及び前記右眼画像のうち、何れか一つの全部又は一部偏光を遮断する光変換部材をさらに含むことができる。
【００５８】
本発明の一実施形態において、前記光変換部材は光変換メガネであってもよい。
【００５９】
本発明の一実施形態において、前記光変換部材は前記表示パネル上に形成されるリターダユニットであってもよい。
【００６０】
上述の本発明のまた他の実施形態に係る表示装置は、表示パネル及びパネル駆動部を含む。前記表示パネルは複数の画素を有する。前記パネル駆動部は第２区間の間に、左眼画像又は右眼画像のうち何れか一つを前記画素に印加し、前記第２区間より先行する第１区間の間に、前記第２区間に前記画素に印加されるべき前記左眼画像又は、前記右眼画像に基づいて前記左眼画像又は前記右眼画像より大きい階調を有するように変換した変換画像を前記画素に印加する。
【００６１】
本発明の一実施形態において、前記パネル駆動部は前記変換画像が示す階調を前記左眼画像又は前記右眼画像の階調に変換変数を乗算して生成することができる。
【００６２】
本発明の一実施形態において、前記変換変数は前記左眼画像の階調及び前記右眼画像の階調に従って可変することができる。
【００６３】
本発明の一実施形態において、前記パネル駆動部は前記変換画像の階調値を保存したルックアップテーブルを使って前記変換画像を生成することができる。
【００６４】
本発明の一実施形態において、前記表示装置は前記表示パネルに光を提供する光源部と前記光源部を駆動するための光源駆動部をさらに含むことができる。
【００６５】
本発明の一実施形態において、前記光源駆動部は前記パネル駆動部と接続されて前記表示パネルに表示される画像に同期化されて前記光源部を駆動することができる。
【００６６】
本発明の一実施形態において、前記光源部は複数の光源ブロックを含み、前記複数の光源ブロックは前記表示パネルに表示される画像がスキャンされる方向に沿って順次に駆動されることができる。
【００６７】
本発明の一実施形態において、前記表示装置は前記左眼画像及び前記右眼画像のうち何れか一つの全部又は一部偏光を遮断する光変換部材をさらに含むことができる。
【００６８】
本発明の一実施形態において、前記光変換部材は光変換メガネであってもよい。
【００６９】
本発明の一実施形態において、前記光変換部材は前記表示パネル上に形成されるリターダユニットであってもよい。
【発明の効果】
【００７０】
このような立体画像表示方法及びそれを遂行する表示装置によれば、前記表示パネルに表示される画像データの階調を変換してクロストークを防止し、表示パネルの輝度を増加する。従って、立体画像の表示品質を向上できる。
【図面の簡単な説明】
【００７１】
【図１】本発明の一実施形態に係る表示装置を示すブロック図である。
【図２】図１の表示パネルに印加される画像データを示すタイミング図である。
【図３】図１の表示装置による立体画像表示方法を説明するための概念図である。
【図４】図１の表示装置による立体画像表示方法を説明するための詳細な概念図である。
【図５】図１のタイミング制御部を示すブロック図である。
【図６】図１のデータ駆動部を示すブロック図である。
【図７】本発明の他の実施形態に係る表示装置の表示パネルに印加される画像データを示すタイミング図である。
【図８】図７の表示装置による立体画像表示方法を説明するための概念図である。
【図９】図７の表示装置による立体画像表示方法を説明するための詳細な概念図である。
【図１０】本発明のまた他の実施形態に係る表示装置による立体画像表示方法を説明するための概念図である。
【図１１】図１０の表示装置による立体画像表示方法を説明するための詳細な概念図である。
【図１２】本発明のまた他の実施形態に係る表示装置による立体画像表示方法を説明するための概念図である。
【図１３】本発明のまた他の実施形態に係る表示装置のタイミング制御部を示すブロック図である。
【図１４】図１３の表示装置のデータ駆動部を示すブロック図である。
【図１５】本発明のまた他の実施形態に係る表示装置による立体画像表示方法を説明するための概念図である。
【図１６】図１５の表示装置による立体画像表示方法を説明するための詳細な概念図である。
【図１７】本発明のまた他の実施形態に係る表示装置による立体画像表示方法を説明するための概念図である。
【図１８】図１７の表示装置による立体画像表示方法を説明するための詳細な概念図である。
【図１９】本発明のまた他の実施形態に係る表示装置を示すブロック図である。
【発明を実施するための形態】
【００７２】
以下、図面を参照して本発明をより詳細に説明する。
図１は本発明の一実施形態に係る表示装置を示すブロック図である。
図１を参照すると、前記表示装置は表示パネル１００、パネル駆動部２００、光源部３００、光源駆動部４００、及び光変換メガネ５００を含む。
【００７３】
表示パネル１００は画像を表示する複数の画素Ｐを含む。例えば、各画素は互いに交差するゲートラインＧＬとデータラインＤＬに電気的に接続されたスイッチング素子ＴＲ、スイッチング素子ＴＲに接続された液晶キャパシタＣＬＣ及びストレージキャパシタＣＳＴを含む。液晶キャパシタＣＬＣの第１端子はスイッチング素子ＴＲに接続され、液晶キャパシタＣＬＣの第２端子には共通電圧Ｖｃｏｍが印加される。ストレージキャパシタＣＳＴの第１端子はスイッチング素子ＴＲに接続され、ストレージキャパシタＣＳＴの第２端子にはストレージ電圧Ｖｓｔが印加される。画素Ｐはマトリックス形態に配置される。表示パネル１００は互いに対向する二つの基板と前記二つの基板との間に介在した液晶層を含む。
【００７４】
表示パネル１００は複数の表示ブロックに分割される。例えば、表示パネル１００は８個の表示ブロックに分割される。前記表示ブロックはそれぞれ複数の画素を含む。前記表示ブロックの長軸はゲートラインＧＬの延長方向と平行する。前記表示ブロックはデータラインＤＬの延長方向に隣接するように配置される。
【００７５】
本実施形態では表示パネル１００が８個の表示ブロックに分割される場合を例示したが、本発明は前記表示ブロックの個数に限定されない。
【００７６】
パネル駆動部２００はフレームレート変換部２１０、タイミング制御部２２０、ゲート駆動部２３０、及びデータ駆動部２４０を含む。
【００７７】
フレームレート変換部２１０は外部の装置（図示せず）から入力画像データＲＧＢを受信する。入力画像データＲＧＢは赤色画像データ、緑色画像データ、及び青色画像データを含む。
【００７８】
フレームレート変換部２１０は、入力画像データＲＧＢのフレームレートを変換して第１画像データＦＲＧＢを生成する。第１画像データＦＲＧＢのフレームレートは、入力画像データＲＧＢのフレームレートの２倍であり得る。例えば、入力画像データＲＧＢのフレームレートは１２０Ｈｚであり、第１画像データＦＲＧＢのフレームレートは２４０Ｈｚである。
【００７９】
例えば、入力画像データＲＧＢが１つの左眼画像及び１つの右眼画像を有する時、第１画像データＦＲＧＢは２つの左眼画像及び２つの右眼画像を有する。
【００８０】
フレームレート変換部２１０は前記左眼画像及び前記右眼画像をコピーする。また、一実施例によれば、フレームレート変換部２１０は前記左眼画像及び前記右眼画像の動作補正（ｍｏｔｉｏｎ＿ｃｏｍｐｅｎｓａｔｉｏｎ）を遂行する。
【００８１】
フレームレート変換部２１０は第１画像データＦＲＧＢをタイミング制御部２２０に出力する。
【００８２】
タイミング制御部２２０は外部から入力制御信号を受信する。これとは異なって選択的には、タイミング制御部２２０はフレームレート変換部２１０から前記入力制御信号を受信する。前記入力制御信号はマスタークロック信号、データイネーブル信号、垂直同期信号、及び水平同期信号などを含む。
【００８３】
タイミング制御部２２０は前記入力制御信号に基づいてゲート駆動部２３０の駆動タイミングを制御するための第１制御信号、データ駆動部２４０の駆動タイミングを制御するための第２制御信号、及び光源駆動部４００の駆動タイミングを制御するための第３制御信号を生成する。
【００８４】
タイミング制御部２２０は前記第１制御信号をゲート駆動部２３０に出力する。タイミング制御部２２０は前記第２制御信号をデータ駆動部２４０に出力する。タイミング制御部２２０は前記第３制御信号を光源駆動部４００に出力する。
【００８５】
前記第１制御信号は垂直開始信号及びゲートクロック信号を含む。前記第２制御信号は水平開始信号、ロード信号、及び極性反転信号を含む。
【００８６】
タイミング制御部２２０はフレームレート変換部２１０から前記第１画像データＦＲＧＢを受信する。タイミング制御部２２０は第１画像データＦＲＧＢを変換して変換画像データを生成する。タイミング制御部２２０は前記変換画像データをデータ駆動部２４０に出力する。
【００８７】
また、タイミング制御部２２０は表示パネル１００に表示される画像に基づいて光変換メガネ５００の駆動を制御する。
【００８８】
タイミング制御部２２０の画像データ処理動作に対しては図５を参照して詳細に後述する。
【００８９】
ゲート駆動部２３０はタイミング制御部２２０から前記第１制御信号を受信する。ゲート駆動部２３０は前記第１制御信号に応答してゲートラインＧＬを駆動するためのゲート信号を生成してゲートラインＧＬに提供する。
【００９０】
データ駆動部２４０はタイミング制御部２２０から前記第２制御信号及び前記変換画像データを受信する。データ駆動部２４０は前記第２制御信号に応答して前記変換画像データをアナログ形態のデータ電圧に変換する。データ駆動部２４０は前記データ電圧をデータラインＤＬに提供する。
【００９１】
データ駆動部２４０の画像データ処理動作に対しては図６を参照して詳細に後述する。
【００９２】
光源部３００は表示パネル１００に光を提供する。光源部３００は表示パネル１００の下面に配置されるバックライトアセンブリであり得る。
【００９３】
例えば、光源部３００は表示パネル１００の下部に配置される光源を有する直下型バックライトアセンブリである。これとは異なって選択的には、光源部３００は表示パネル１００のエッジ領域に対応する光源及び導光板を有するエッジ型バックライトアセンブリである。
【００９４】
光源部３００は複数の発光ブロックに分割される。例えば、光源部３００は８個の発光ブロックに分割される。前記発光ブロックはそれぞれ一つ以上の光源を含む。前記発光ブロックの長軸はゲートラインＧＬの延長方向と平行する。前記発光ブロックはデータラインＤＬの延長方向に隣接するように配置される。
【００９５】
本実施形態では光源部３００が８個の発光ブロックに分割される場合を示したが、本発明は前記発光ブロックの個数に限定されない。
【００９６】
前記発光ブロックは前記表示ブロックのスキャニング方向に沿って前記表示ブロックに順次に光を提供する。前記表示ブロックのスキャニング方向はデータラインＤＬの延長方向と平行する。前記発光ブロックはそれぞれ前記表示ブロックに対応する。例えば、第１発光ブロックは第１表示ブロックに光を提供し、第２発光ブロックは第２表示ブロックに光を提供する。
【００９７】
本実施形態において、光源部３００は、複数の発光ブロックに分割され、スキャニング駆動される場合を例示したが、本発明はこれに限定されず、光源部３００が同時にターンオン及びターンオフするブリンキング（ｂｌｉｎｋｉｎｇ）方式で駆動され得る。これとは異なって、光源部３００は常時連続的にターンオンされ得る。
【００９８】
光源駆動部４００はタイミング制御部２２０から前記第３制御信号を受信する。光源駆動部４００は前記第３制御信号に応答して、光源部３００の駆動を制御する。
【００９９】
例えば、光源駆動部４００は、前記表示ブロックのスキャニング方向に沿って前記複数の発光ブロックが順次にターンオンされるように制御する。隣接した発光ブロックは重複的にターンオンされ得る。
【０１００】
光変換メガネ５００は、左眼メガネ５１０及び右眼メガネ５２０を含む。光変換メガネ５００は、左眼メガネ５１０及び右眼メガネ５２０を選択的に開閉して２次元画像を３次元画像に変換する例えばシャッタメガネである。
【０１０１】
光変換メガネ５００は、タイミング制御部２２０などから受信されるシャッタ制御信号に応答して左眼メガネ５１０及び右眼メガネ５２０を選択的に開閉させる。
【０１０２】
光変換メガネ５００は２次元画像を３次元画像に変換して表示する光変換部材として機能する。
【０１０３】
また選択的に、図示していないが、表示パネル１００上に光変換部材としてリターダ（ｒｅｔａｒｄｅｒ）ユニットを形成する。前記リターダユニットは、パターン化リターダ（ｐａｔｔｅｒｎｅｄ  ｒｅｔａｒｄｅｒ）、又は、アクティブリターダ（ａｃｔｉｖｅ  ｒｅｔａｒｄｅｒの何れかである。前記リターダユニットは前記画素に表示されるべき画像の偏光を選択的に透過する。前記選択的に透過した偏光は前記光変換部材とは別途の第２の光変換部材によって選択的に透過される。前記第２の光変換部材は例えば偏光メガネである。
【０１０４】
タイミング制御部２２０によって、前記リターダユニットは左眼画像又は右眼画像を偏光し、左眼メガネ５１０は偏光された左眼画像を透過し、右眼メガネ５２０は偏光された右眼画像を透過する。また、前記リターダユニットは例えば、表示パネル１００に表示される画像のフレームに従って偏光の形態を変更できるアクティブリターダユニットである。
【０１０５】
図２は図１の表示パネル１００に印加される画像データを示すタイミング図である。図３は図１の表示装置による立体画像表示方法を説明するための概念図である。図４は図１の表示装置による立体画像表示方法を説明するための詳細な概念図である。
【０１０６】
図１〜図４を参照すると、表示パネル１００、光源部３００、及び光変換メガネ５００は同期して駆動される。
【０１０７】
本発明の立体画像表示方法は、正常データ印加区間の間、表示パネル１００の画素に左眼画像Ｌ又は右眼画像Ｒのうち何れか一つを印加し、前記正常データ印加区間より先行する変換データ印加区間の間、前記正常データ印加区間の間に前記画素に印加されるべき左眼画像Ｌ又は右眼画像Ｒに基づいて、左眼画像Ｌ又は右眼画像Ｒより小さい階調を有するように変換した変換画像ＬＣ、ＲＣを前記画素に印加する段階を含む。
【０１０８】
図２に示すように、表示パネル１００には変換左眼画像ＬＣ、左眼画像Ｌ、変換右眼画像ＲＣ、及び右眼画像Ｒが順次に表示される。変換左眼画像ＬＣは左眼画像Ｌに基づいて生成され、左眼画像Ｌより小さい階調を有する。左眼画像Ｌは観察者の左眼が視認するべきターゲット階調値を有する。変換右眼画像ＲＣは右眼画像Ｒに基づいて生成され、右眼画像Ｒより小さい階調を有する。右眼画像Ｒは観察者の右眼が視認するべきターゲット階調値を有する。変換左眼画像ＬＣ、左眼画像Ｌ、変換右眼画像ＲＣ、及び右眼画像Ｒはそれぞれ１フレーム区間１Ｆに対応して表示パネル１００の画素に表示される。
【０１０９】
光源部３００は複数の発光ブロックを有し、前記発光ブロックは表示パネル１００のスキャニング方向に沿って順次にターンオンされる。前記発光ブロックは表示パネル１００の表示ブロックに順次に光を提供する。本実施形態において、表示パネル１００は、８個の表示ブロックＤＢ１〜ＤＢ８を含み、光源部３００は８個の発光ブロックを含む。
【０１１０】
光変換メガネ５００は、左眼画像Ｌ及び右眼画像Ｒに対応して開閉時間が調節される。
【０１１１】
図４は表示ブロックＤＢ１〜ＤＢ８について、各々に属する一つの画素を例示して前記画素に印加される画像電圧を、液晶の応答時間を考慮して図示する。図４において左眼画像Ｌ１、Ｌ２は相対的に高階調を有し、右眼画像Ｒ１は相対的に低階調を有する場合を例示する。
【０１１２】
第１フレームＦ１の間に、第１表示ブロックＤＢ１〜第８表示ブロックＤＢ８には第１変換左眼画像ＬＣ１に対応する電圧がスキャニング方向に沿って順次に印加される。第１変換左眼画像ＬＣ１は、第１左眼画像Ｌ１に基づいて第１左眼画像Ｌ１より低い階調を有するように生成される。
【０１１３】
第２フレームＦ２の間に、第１表示ブロックＤＢ１〜第８表示ブロックＤＢ８には第１左眼画像Ｌ１に対応する電圧がスキャニング方向に沿って順次に印加される。
【０１１４】
第３フレームＦ３の間に、第１表示ブロックＤＢ１〜第８表示ブロックＤＢ８には第１変換右眼画像ＲＣ１に対応する電圧がスキャニング方向に沿って順次に印加される。第１変換右眼画像ＲＣ１は第１右眼画像Ｒ１に基づいて第１右眼画像Ｒ１より低い階調を有するように生成される。
【０１１５】
第４フレームＦ４の間に、第１表示ブロックＤＢ１〜第８表示ブロックＤＢ８には第１右眼画像Ｒ１に対応する電圧がスキャニング方向に沿って順次に印加される。
【０１１６】
第５フレームＦ５の間に、第１表示ブロックＤＢ１〜第８表示ブロックＤＢ８には第２変換左眼画像ＬＣ２に対応する電圧がスキャニング方向に沿って順次に印加される。第２変換左眼画像ＬＣ２は、第２左眼画像Ｌ２に基づいて第２左眼画像Ｌ２より低い階調を有するように生成される。
【０１１７】
第６フレームＦ６の間に、第１表示ブロックＤＢ１〜第８表示ブロックＤＢ８には第２左眼画像Ｌ２に対応する電圧がスキャニング方向に沿って順次に印加される。
第５フレームＦ５以降は、第１〜第４フレームＦ１〜Ｆ４が、左・右眼画像を順次変更しながら繰り返される。
【０１１８】
第１表示ブロックＤＢ１の第１画素を基準として見れば、第１区間Ｐ１の間に、前記第１画素には第１変換左眼画像ＬＣ１に対応する電圧が印加され、前記第１画素は第１変換左眼画像ＬＣ１を表示する。第２区間Ｐ２の間に、前記第１画素には第１左眼画像Ｌ１に対応する電圧が印加され、前記第１画素は前記第１左眼画像Ｌ１を表示する。第３区間Ｐ３の間に、前記第１画素には第１変換右眼画像ＲＣ１に対応する電圧が印加され、前記第１画素は第１変換右眼画像ＲＣ１を表示する。第４区間Ｐ４の間に、前記第１画素には第１右眼画像Ｒ１に対応する電圧が印加され、前記第１画素は第１右眼画像Ｌ１を表示する。第５区間Ｐ５の間に、前記第１画素には第２変換左眼画像ＬＣ２に対応する電圧が印加され、前記第１画素は第２変換左眼画像ＬＣ２を表示する。第６区間Ｐ６の間に、前記第１画素には第２左眼画像Ｌ２に対応する電圧が印加され、前記第１画素は第２左眼画像Ｌ２を表示する。
【０１１９】
第２表示ブロックＤＢ２は第１表示ブロックＤＢ１に比べてディレーされた駆動タイミングを有する。第２表示ブロックＤＢ２の第２画素を基準として見れば、第１区間Ｐ１の間に、前記第２画素には第１変換左眼画像ＬＣ１に対応する電圧が印加され、前記第２画素は第１変換左眼画像ＬＣ１を表示する。第２区間Ｐ２の間に、前記第２画素には第１左眼画像Ｌ１に対応する電圧が印加され、前記第２画素は第１左眼画像Ｌ１を表示する。第３区間Ｐ３の間に、前記第２画素には第１変換右眼画像ＲＣ１に対応する電圧が印加され、前記第２画素は第１変換右眼画像ＲＣ１を表示する。第４区間Ｐ４の間に、前記第２画素には第１右眼画像Ｒ１に対応する電圧が印加され、前記第２画素は第１右眼画像Ｌ１を表示する。第５区間Ｐ５の間に、前記第２画素には第２変換左眼画像ＬＣ２に対応する電圧が印加され、前記第２画素は第２変換左眼画像ＬＣ２を表示する。第６区間Ｐ６の間に、前記第２画素には第２左眼画像Ｌ２に対応する電圧が印加され、前記第２画素は第２左眼画像Ｌ２を表示する。
【０１２０】
上述した説明と同じ方式で、第３表示プロックＤＢ３〜第８表示ブロックＤＢ８も順次に駆動される。
本実施例では、第ｉ区間（ｉ＝１、２、３、・・・）Ｐｉの長さは何れも１フレーム区間の長さに等しく、第ｉ区間Ｐｉのスタート位置は、表示ブロックＤＢｊ（ｊ＝１〜８）に合わせて１フレーム区間の長さの７分の１だけスタガされる。（一般に表示ブロックの分割数がＮの場合は、１フレーム区間の長さの（Ｎ−１）分の１だけスタガされる。）
【０１２１】
光源部３００は、表示ブロックＤＢ１〜ＤＢ８のスキャニング動作に同期して表示ブロックＤＢ１〜ＤＢ８に光を提供する。
【０１２２】
光源部３００は各画素に対し第２区間Ｐ２内で光を一時的に提供し、第４区間Ｐ４内で光を一時的に提供する。即ち、光源部３００は各画素が左眼画像Ｌ又は右眼画像Ｒを表示する時、前記各画素に光を一時的に提供する。
【０１２３】
光変換メガネ５００は左眼画像Ｌ及び右眼画像Ｒに対応して開閉時間が調節される。本実施例では、光変換メガネ５００の左眼メガネ５１０は、第１フレームＦ１、第４フレームＦ４、及び第５フレームＦ５の間にターンオフされ、第２フレームＦ２、第３フレームＦ３、及び第６フレームＦ６の間にターンオンされる。
一方、光変換メガネ５００の右眼メガネ５２０は、第１フレームＦ１、第４フレームＦ４、及び第５フレームＦ５の間にターンオンされ、第２フレームＦ２、第３フレームＦ３、及び第６フレームＦ６の間にターンオフされる。
（第５フレームＦ５以降は、第１〜第４フレームＦ１〜Ｆ４が繰り返される。
即ち、左眼メガネ５１０は、Ｆ１、Ｆ４、Ｆ５、Ｆ８、Ｆ９、Ｆ１２、…でターンオフされ、Ｆ２、Ｆ３、Ｆ６、Ｆ７、Ｆ１０、Ｆ１１、…でターンオンされる。一方、右眼メガネ５２０は、Ｆ１、Ｆ４、Ｆ５、Ｆ８、Ｆ９、Ｆ１２、…でターンオンされ、Ｆ２、Ｆ３、Ｆ６、Ｆ７、Ｆ１０、Ｆ１１、…でターンオフされる。）
【０１２４】
第１区間Ｐ１の間に、第１変換左眼画像ＬＣ１は、ターゲット画像である第１左眼画像Ｌ１を印加する前に、画素に対応する液晶層をプレチルト（ｐｒｅｔｉｌｔ）するために印加される。従って、第２区間Ｐ２の間に、前記画素は前記ターゲット画像（第１左眼画像Ｌ１）に早く到達する。従って、表示パネル１００の輝度を増加する。
【０１２５】
同様に、第３区間Ｐ３の間に印加される第１変換右眼画像ＲＣ１はターゲット画像である第１右眼画像Ｒ１より低い階調を有するので、第４区間Ｐ４の間に、前記画素はターゲット画像（第１右眼画像Ｒ１）に早く到達する。従って、立体画像のクロストークを防止する。
【０１２６】
第５区間Ｐ５の間に、第２変換左眼画像ＬＣ２はターゲット画像である第２左眼画像Ｌ２に比べて低い階調を有するので、発光ブロックの間の漏洩光による立体画像のクロストークを防止する。
【０１２７】
図５は図１のタイミング制御部２２０を示すブロック図である。
【０１２８】
図１〜図５を参照すると、タイミング制御部２２０は色特性補正部（Ａｄａｐｔｉｖｅ  Ｃｏｌｏｒ  Ｃｏｒｒｅｃｔｉｏｎ部、ＡＣＣ部）２２２、能動キャパシタンス補正部（Ｄｙｎａｍｉｃ  Ｃａｐａｃｉｔａｎｃｅ  Ｃｏｍｐｅｎｓａｔｉｏｎ部、ＤＣＣ部）２２４、及び階調変換部２２６を含む。
【０１２９】
ＡＣＣ部２２２は第１画像データＦＲＧＢに対して色特性補正を遂行する。ＡＣＣ部２２２はガンマ曲線を利用して第１画像データＦＲＧＢを補正する。
【０１３０】
ＤＣＣ部２２４は前フレームデータと現フレームデータを利用して前記現フレームデータの階調データを補正する能動キャパシタンス補正を遂行する。本実施形態において、第１画像データＦＲＧＢは複写した２つの左眼画像及び複写した２つの右眼画像を有するので、ＤＣＣ部２２４は２フレーム単位で前記能動キャパシタンス補正を遂行できる。
【０１３１】
例えば、左眼画像Ｌが表示する階調は、前フレームの入力右眼画像が表示する階調又は入力左眼画像が表示する階調と、現フレームの入力左眼画像が表示する階調とを比較して生成された階調である。また、右眼画像Ｒが表示する階調は、前フレームの入力左眼画像が表示する階調又は入力右眼画像が表示する階調と、現フレームの入力右眼画像が表示する階調とを比較して生成された階調である。
例えば、表示パネル１００の画素に、第１変換左眼画像ＬＣ１、第１左眼画像Ｌ１、第１変換右眼画像ＲＣ１、第１右眼画像Ｒ１が順次に表示された以後、引き続き第２変換左眼画像ＬＣ２、第２左眼画像Ｌ２、第２変換右眼画像ＲＣ２、第２右眼画像Ｒ２が順次に表示される場合、第２左眼画像Ｌ２が表示する階調は第１右眼画像Ｒ１に対応する第１入力右眼画像が表示する階調と第２左眼画像Ｌ２に対応する第２入力左眼画像が表示する階調を比較して生成された階調であり得る。また、第２右眼画像Ｒ２が表示する階調は、第２左眼画像Ｌ２に対応する第２入力左眼画像が表示する階調と第２右眼画像Ｒ２に対応する第２入力右眼画像が表示する階調とを比較して生成された階調であり得る。
【０１３２】
本発明の一実施形態において、ＡＣＣ部２２２及びＤＣＣ部２２４の配置順序は、逆になし得る。従って、前記色特性補正及び前記能動キャパシタンス補正の実行順序は逆になし得る。
【０１３３】
階調変換部２２６は左眼画像Ｌに基づいて左眼画像Ｌより小さい階調を有する変換左眼画像ＬＣを生成し、右眼画像Ｒに基づいて右眼画像Ｒより小さい階調を有する変換右眼画像ＲＣを生成する。ただし、左眼画像Ｌ及び右眼画像Ｒが０階調を有する場合には、変換左眼画像ＬＣ及び右眼変換画像ＲＣは、左眼画像Ｌ及び右眼画像Ｒと同じ値を有するようになし得る。また、左眼画像Ｌ及びこれに対して対応する右眼画像Ｒが同じ階調を有する場合には、変換左眼画像ＬＣ及び右眼変換画像ＲＣは、左眼画像Ｌ及び右眼画像Ｒと同じ値を有するようになし得る。
【０１３４】
本発明の一実施形態において、階調変換部２２６は、左眼画像Ｌの階調及び右眼画像Ｒの階調に変換変数を乗算して変換左眼画像ＬＣ及び変換右眼画像ＲＣを生成する。本実施形態において、前記変換変数は１より小さい。例えば、左眼画像Ｌが２５６階調を有し、変換変数が０．７５の場合、変換左眼画像ＬＣは１９２階調を有する。
【０１３５】
階調変換部２２６は、左眼画像Ｌの階調及び右眼画像Ｒの階調に前記変換変数を乗算するマルチプライヤ回路を含む。
【０１３６】
前記変換変数は、左眼画像Ｌの階調及び右眼画像Ｒの階調に従って可変する値を有するように設定し得る。また、前記変換変数は、使用者の設定によって変更され得る。
【０１３７】
本発明の一実施形態において、階調変換部２２６は左眼画像Ｌの階調及び右眼画像Ｒの階調によるルックアップテーブルを使って変換左眼画像ＬＣ及び変換右眼画像ＲＣを生成する。タイミング制御部２００は、前記ルックアップテーブルを保存するメモリ（図示せず）をさらに含み得る。
【０１３８】
階調変換部２２６は変換左眼画像ＬＣ、左眼画像Ｌ、変換右眼画像ＲＣ、及び右眼画像Ｒをデータ駆動部２４０に出力する。
【０１３９】
図６は図１のデータ駆動部２４０を示すブロック図である。
図６を参照すると、データ駆動部２４０はシフトレジスタ２４２、ラッチ２４４、信号処理部２４６、及びバッファ部２４８を含む。シフトレジスタ２４２は、ラッチパルスをラッチ２４４に出力する。ラッチ２４４は、変換左眼画像ＬＣ、左眼画像Ｌ、変換右眼画像ＲＣ及び右眼画像Ｒを一時保存した後、信号処理部２４６に出力する。信号処理部２４６は、前記デジタル形態である変換左眼画像ＬＣ、左眼画像Ｌ、変換右眼画像ＲＣ、及び右眼画像Ｒを、前記ガンマ基準電圧を根拠にアナログ形態の前記データ電圧に変換してバッファ部２４８に出力する。バッファ部２４８は、前記データ電圧が負荷電流の変動に対して常に一定のレベルを有するように補償して前記データ電圧をデータラインＤＬに出力する。
【０１４０】
本実施形態によると、表示パネル１００の輝度を増加し、立体画像のクロストークを防止して立体画像の表示品質を向上する。
【０１４１】
図７は本発明の他の実施形態に係る表示装置の表示パネルに印加される画像データを示すタイミング図である。図８は図７の表示装置による立体画像表示方法を説明するための概念図である。図９は図７の表示装置による立体画像表示方法を説明するための詳細な概念図である。
【０１４２】
本実施形態に係る表示装置及び立体画像表示方法は、変換左眼画像ＬＣ及び変換右眼画像ＲＣを除けば、図１〜図６を参照して説明した表示装置及び立体画像表示方法と実質的に同一であるので、同一又は類似の構成要素に対しては同じ参照番号を使い、重複する説明は省略する。
【０１４３】
図１及び図７〜図９を参照すると、前記表示装置は表示パネル１００、パネル駆動部２００、光源部３００、光源駆動部４００、及び光変換メガネ５００を含む。
【０１４４】
表示パネル１００、光源部３００、及び光変換メガネ５００は同期して駆動される。
【０１４５】
本発明の立体画像表示方法は、正常データ印加区間の間、表示パネル１００の画素に左眼画像Ｌ又は右眼画像Ｒのうち何れか一つを印加し、前記正常データ印加区間より先行する変換データ印加区間の間、前記正常データ印加区間の間に前記画素に印加されるべき左眼画像Ｌ又は右眼画像Ｒに基づいて、前記左眼画像又は前記右眼画像より大きい階調を有するように変換した変換画像ＬＣ、ＲＣを前記画素に印加する段階を含む。
【０１４６】
図７に示すように、表示パネル１００には、変換左眼画像ＬＣ、左眼画像Ｌ、変換右眼画像ＲＣ、及び右眼画像Ｒが順次に表示される。変換左眼画像ＬＣは、左眼画像Ｌに基づいて生成され、左眼画像Ｌより大きい階調を有する。左眼画像Ｌは観察者の左眼が視認するべきターゲット階調値を有する。変換右眼画像ＲＣは右眼画像Ｒに基づいて生成され、右眼画像Ｒより大きい階調を有する。右眼画像Ｒは観察者の右眼が視認するべきターゲット階調値を有する。
【０１４７】
変換左眼画像ＬＣ、左眼画像Ｌ、変換右眼画像ＲＣ、及び右眼画像Ｒは、それぞれ１フレーム１Ｆ区間に対応して表示パネル１００の画素に表示される。
【０１４８】
光源部３００は複数の発光ブロックを有し、前記発光ブロックは表示パネル１００のスキャニング方向に沿って順次にターンオンされる。前記発光ブロックは表示パネル１００の表示ブロックに順次に光を提供する。本実施形態において、表示パネル１００は、８個の表示ブロックＤＢ１〜ＤＢ８を含み、光源部３００は８個の発光ブロックを含む。
【０１４９】
光変換メガネ５００は、左眼画像Ｌ及び右眼画像Ｒに対応して開閉時間が調節される。
【０１５０】
第１表示ブロックＤＢ１の第１画素を基準として見れば、第１区間Ｐ１の間に、前記第１画素には第１変換左眼画像ＬＣ１に対応する電圧が印加され、前記第１画素は第１変換左眼画像ＬＣ１を表示する。第２区間Ｐ２の間に、前記第１画素には第１左眼画像Ｌ１に対応する電圧が印加され、前記第１画素は前記第１左眼画像Ｌ１を表示する。第３区間Ｐ３の間に、前記第１画素には第１変換右眼画像ＲＣ１に対応する電圧が印加され、前記第１画素は第１変換右眼画像ＲＣ１を表示する。第４区間Ｐ４の間に、前記第１画素には第１右眼画像Ｒ１に対応する電圧が印加され、前記第１画素は第１右眼画像Ｌ１を表示する。第５区間Ｐ５の間に、前記第１画素には第２変換左眼画像ＬＣ２に対応する電圧が印加され、前記第１画素は第２変換左眼画像ＬＣ２を表示する。第６区間Ｐ６の間に、前記第１画素には第２左眼画像Ｌ２に対応する電圧が印加され、前記第１画素は第２左眼画像Ｌ２を表示する。
【０１５１】
第２表示ブロックＤＢ２は、第１表示ブロックＤＢ１に比べてディレーされた駆動タイミングを有する。前記説明と同じ方式で、第３〜第８表示ブロックＤＢ３〜ＤＢ８も順次にディレーされた駆動タイミングをもって駆動される。
【０１５２】
第１区間Ｐ１の間に、第１変換左眼画像ＬＣ１は、ターゲット画像である第１左眼画像Ｌ１を印加する前に、オーバーシュート（ｏｖｅｒｓｈｏｏｔ）駆動するために印加される。従って、第２区間Ｐ２の間に、前記画素は前記ターゲット画像（第１左眼画像Ｌ１）に早く到達する。従って、表示パネル１００の輝度を増加する。
【０１５３】
タイミング制御部２２０の階調変換部２２６は、左眼画像Ｌに基づいて左眼画像Ｌより大きい階調を有する変換左眼画像ＬＣを生成し、右眼画像Ｒに基づいて右眼画像Ｒより大きい階調を有する変換右眼画像ＲＣを生成する。
【０１５４】
本発明の一実施形態において、階調変換部２２６は、左眼画像Ｌの階調及び右眼画像Ｒの階調に変換変数を乗算して変換左眼画像ＬＣ及び変換右眼画像ＲＣを生成する。本実施形態において、前記変換変数は１より大きい。
【０１５５】
前記変換変数は、前記左眼画像の階調及び前記右眼画像の階調に従って可変する値を有するように設定し得る。
【０１５６】
本発明の一実施形態において、階調変換部２２６は左眼画像Ｌの階調及び右眼画像Ｒの階調によるルックアップテーブルを使って変換左眼画像ＬＣ及び変換右眼画像ＲＣを生成する。
【０１５７】
本実施形態によると、前記液晶層の応答速度の増加に伴い表示パネル１００の輝度を増加し、表示パネル１００の輝度均一性を向上する。従って、立体画像の表示品質を向上する。
【０１５８】
図１０は本発明のまた他の実施形態に係る表示装置による立体画像表示方法を説明するための概念図である。図１１は図１０の表示装置による立体画像表示方法を説明するための詳細な概念図である。
【０１５９】
本実施形態に係る表示装置及び立体画像表示方法は、左眼画像Ｌ、変換左眼画像ＬＣ、右眼画像Ｒ、及び変換右眼画像ＲＣの表示順序を除けば、図１〜図６を参照して説明した表示装置及び立体画像表示方法と実質的に同一であるので、同一又は類似の構成要素に対しては同じ参照番号を使い、重複する説明は省略する。
【０１６０】
図１、図１０、及び図１１を参照すれば、前記表示装置は表示パネル１００、パネル駆動部２００、光源部３００、光源駆動部４００及び光変換メガネ５００を含む。
【０１６１】
表示パネル１００、光源部３００、及び光変換メガネ５００は同期して駆動される。
【０１６２】
図１０に示すように、表示パネル１００には左眼画像Ｌ、変換左眼画像ＬＣ、右眼画像Ｒ、及び変換右眼画像ＲＣが順次に表示される。左眼画像Ｌは観察者の左眼が視認するべきターゲット階調値を有する。変換左眼画像ＬＣは左眼画像Ｌに基づいて生成され、左眼画像Ｌより小さい階調を有する。右眼画像Ｒは観察者の右眼が視認するべきターゲット階調値を有する。変換右眼画像ＲＣは右眼画像Ｒに基づいて生成され、右眼画像Ｒより小さい階調を有する。
【０１６３】
左眼画像Ｌ、変換左眼画像ＬＣ、右眼画像Ｒ、及び変換右眼画像ＲＣは、それぞれ１フレーム区間１Ｆに対応して表示パネル１００の画素に表示される。
【０１６４】
光源部３００は複数の発光（光源）ブロックを有し、前記発光ブロックは表示パネル１００のスキャニング方向に沿って順次にディレーされたタイミングをもってターンオン駆動される。前記発光ブロックは表示パネル１００の表示ブロックに順次に光を提供する。本実施形態において、表示パネル１００は、８個の表示ブロックＤＢ１〜ＤＢ８を含み、光源部３００は８個の発光ブロックを含む。
光変換メガネ５００は、左眼画像Ｌ及び右眼画像Ｒに対応して開閉時間が調節される。
【０１６５】
第１表示ブロックＤＢ１の第１画素を基準として見れば、第１区間Ｐ１の間に、前記第１画素には第１左眼画像Ｌ１に対応する電圧が印加され、前記第１画素は第１左眼画像Ｌ１を表示する。第２区間Ｐ２の間に、前記第１画素には第１変換左眼画像ＬＣ１に対応する電圧が印加され、前記第１画素は第１変換左眼画像ＬＣ１を表示する。第３区間Ｐ３の間に、前記第１画素には第１右眼画像Ｒ１に対応する電圧が印加され、前記第１画素は第１右眼画像Ｒ１を表示する。第４区間Ｐ４の間に、前記第１画素には第１変換右眼画像ＲＣ１に対応する電圧が印加され、前記第１画素は第１変換右眼画像ＲＣ１を表示する。第５区間Ｐ５の間に、前記第１画素には第２左眼画像Ｌ２に対応する電圧が印加され、前記第１画素は第２左眼画像Ｌ２を表示する。第６区間Ｐ６の間に、前記第１画素には第２変換左眼画像ＬＣ２に対応する電圧が印加され、前記第１画素は第２変換左眼画像ＬＣ２を表示する。
【０１６６】
第２表示ブロックＤＢ２は、第１表示ブロックＤＢ１に比べてディレーされた駆動タイミングを有する。前記説明と同じ方式で、第３表示ブロックＤＢ３〜第８表示ブロックＤＢ８も順次に駆動される。
【０１６７】
光源部３００は、各画素に対して第１区間Ｐ１の後期区間及び第２区間Ｐ２の初期区間に光を一時的に提供し、第３区間Ｐ３の後期区間及び第４区間Ｐ４の初期区間に光を一時的に提供する。
【０１６８】
第２区間Ｐ２の間に、第１左眼画像Ｌ１より小さい階調を有する第１変換左眼画像ＬＣ１が表示されるので、クロストークを減少する。また、第２区間Ｐ２間、ブラック画像を挿入させる方式に比べて表示パネル１００の輝度を増加する。
【０１６９】
本実施形態によると、立体画像のクロストークを減少し、表示パネル１００の輝度を増加して、立体画像の表示品質を向上する。
【０１７０】
図１２は本発明のまた他の実施形態に係る表示装置による立体画像表示方法を説明するための概念図である。
【０１７１】
本実施形態に係る表示装置及び立体画像表示方法は光源部３００をターンオン状態で維持することを除けば、図１〜図６を参照して説明した表示装置及び立体画像表示方法と実質的に同一であるので、同一又は類似の構成要素に対しては同じ参照番号を使い、重複する説明は省略する。
【０１７２】
図１及び図１２を参照すれば、前記表示装置は表示パネル１００、パネル駆動部２００、光源部３００、光源駆動部４００、及び光変換メガネ５００を含む。
【０１７３】
表示パネル１００及び光変換メガネ５００は同期して駆動される。
【０１７４】
図１２に示すように、表示パネル１００には変換左眼画像ＬＣ、左眼画像Ｌ、変換右眼画像ＲＣ、及び右眼画像Ｒが順次に表示される。変換左眼画像ＬＣは、左眼画像Ｌに基づいて生成され、左眼画像Ｌより小さい階調を有する。左眼画像Ｌは観察者の左眼が視認するべきターゲット階調値を有する。変換右眼画像ＲＣは右眼画像Ｒに基づいて生成され、右眼画像Ｒより小さい階調を有する。右眼画像Ｒは観察者の右眼が視認するべきターゲット階調値を有する。変換左眼画像ＬＣ、左眼画像Ｌ、変換右眼画像ＲＣ、及び右眼画像Ｒは、それぞれ１フレーム区間１Ｆに対応して表示パネル１００の画素に表示される。
【０１７５】
光源部３００は表示パネル１００に連続的に光を提供する。
【０１７６】
光変換メガネ５００は、左眼画像Ｌ及び右眼画像Ｒに対応して開閉時間が調節される。光変換メガネ５００の左眼メガネ５１０及び右眼メガネ５２０は、表示パネル１００がスキャニングされる区間の間、交互に開閉されるように調節される。その際、左眼メガネ５１０の「閉」時間と右眼メガネ５２０の「閉」時間は部分的にオーバラップする。
【０１７７】
本実施形態によると、表示パネル１００の輝度を増加し、立体画像のクロストークを防止して立体画像の表示品質を向上する。
【０１７８】
図１３は本発明のまた他の実施形態に係る表示装置のタイミング制御部を示すブロック図である。図１４は図１３の表示装置のデータ駆動部を示すブロック図である。
【０１７９】
本実施形態に係る表示装置及び立体画像表示方法は、変換左眼画像ＬＣ及び変換右眼画像ＲＣをデータ駆動部２４０で生成することを除けば、図１〜図６を参照して説明した表示装置及び立体画像表示方法と実質的に同一であるので、同一又は類似の構成要素に対しては同じ参照番号を使い、重複する説明は省略する。
【０１８０】
図１、図２、図１３、及び図１４を参照すると、前記表示装置は表示パネル１００、パネル駆動部２００、光源部３００、光源駆動部４００、及び光変換メガネ５００を含む。
【０１８１】
表示パネル１００、光源部３００、及び光変換メガネ５００は同期して駆動される。
【０１８２】
図２に示すように、表示パネル１００には、変換左眼画像ＬＣ、左眼画像Ｌ、変換右眼画像ＲＣ、及び右眼画像Ｒが順次に表示される。変換左眼画像ＬＣは左眼画像Ｌに基づいて生成され、左眼画像Ｌより小さい階調を有する。左眼画像Ｌは観察者の左眼が視認するべきターゲット階調値を有する。変換右眼画像ＲＣは右眼画像Ｒに基づいて生成されて、右眼画像Ｒより小さい階調を有する。右眼画像Ｒは観察者の右眼が視認するべきターゲット階調値を有する。
【０１８３】
パネル駆動部２００は、フレームレート変換部２１０、タイミング制御部２２０、ゲート駆動部２３０、及びデータ駆動部２４０を含む。
【０１８４】
タイミング制御部２２０は、ＡＣＣ部２２２及びＤＣＣ部２２４を含む。
【０１８５】
ＡＣＣ部２２２は第１画像データＦＲＧＢに対して色特性補正を遂行する。ＤＣＣ部２２４は前フレームデータと現フレームデータを利用して前記現フレームデータの階調データを補正する能動キャパシタンス補正を遂行する。
【０１８６】
タイミング制御部２２０は、２つに複写された左眼画像Ｌ、Ｌ、及び、２つに複写された右眼画像Ｒ、Ｒをデータ駆動部２４０に出力する。
【０１８７】
データ駆動部２４０は、階調変換部２４１、シフトレジスタ２４２、ラッチ２４４、信号処理部２４６、及びバッファ部２４８を含む。
【０１８８】
階調変換部２４１は、左眼画像Ｌに基づいて左眼画像Ｌより小さい階調を有する変換左眼画像ＬＣを生成し、右眼画像Ｒに基づいて右眼画像Ｒより小さい階調を有する変換右眼画像ＲＣを生成する。
【０１８９】
本発明の一実施形態において、階調変換部２４１は、左眼画像Ｌの階調及び右眼画像Ｒの階調に変換変数を乗算して変換左眼画像ＬＣ及び変換右眼画像ＲＣを生成する。本実施形態において、前記変換変数は１より小さい。
【０１９０】
前記変換変数は、前記左眼画像の階調及び前記右眼画像の階調に従って可変する値を有するように設定し得る。
【０１９１】
本発明の一実施形態において、階調変換部２４１は、左眼画像Ｌの階調及び右眼画像Ｒの階調によるルックアップテーブルを使って変換左眼画像ＬＣ及び変換右眼画像ＲＣを生成する。
【０１９２】
階調変換部２４１は変換左眼画像ＬＣ、左眼画像Ｌ、変換右眼画像ＲＣ、及び右眼画像Ｒをラッチ２４４に出力する。
【０１９３】
シフトレジスタ２４２はラッチパルスをラッチ２４４に出力する。ラッチ２４４は、変換左眼画像ＬＣ、左眼画像Ｌ、変換右眼画像ＲＣ、及び右眼画像Ｒを一時保存した後、信号処理部２４６に出力する。信号処理部２４６は、前記デジタル形態である変換左眼画像ＬＣ、左眼画像Ｌ、変換右眼画像ＲＣ、及び右眼画像Ｒを、前記ガンマ基準電圧に基づいてアナログ形態の前記データ電圧に変換してバッファ部２４８に出力する。バッファ部２４８は、前記データ電圧が負荷電流の変動に対して常に一定のレベルを有するように補償して前記データ電圧をデータラインＤＬに出力する。
【０１９４】
本実施形態によると、表示パネル１００の輝度を増加し、立体画像のクロストークを防止して立体画像の表示品質を向上する。
【０１９５】
図１５は本発明のまた他の実施形態に係る表示装置による立体画像表示方法を説明するための概念図である。図１６は図１５の表示装置による立体画像表示方法を説明するための詳細な概念図である。
【０１９６】
本実施形態に係る表示装置及び立体画像表示方法は、光変換メガネ５００の駆動方式を除けば、図１〜図６を参照して説明した表示装置及び立体画像表示方法と実質的に同一であるので、同一又は類似の構成要素に対しては同じ参照番号を使い、重複する説明は省略する。
【０１９７】
図１、図１５、及び図１６を参照すると、前記表示装置は表示パネル１００、パネル駆動部２００、光源部３００、光源駆動部４００、及び光変換メガネ５００を含む。
【０１９８】
表示パネル１００、光源部３００、及び光変換メガネ５００は同期して駆動される。
【０１９９】
図２に示すように表示パネル１００には、変換左眼画像ＬＣ、左眼画像Ｌ、変換右眼画像ＲＣ、及び右眼画像Ｒが順次に表示される。変換左眼画像ＬＣは、左眼画像Ｌに基づいて生成され、左眼画像Ｌより小さい階調を有する。左眼画像Ｌは観察者の左眼が視認するべきターゲット階調値を有する。変換右眼画像ＲＣは、右眼画像Ｒに基づいて生成され、右眼画像Ｒより小さい階調を有する。右眼画像Ｒは観察者の右眼が視認するべきターゲット階調値を有する。
【０２００】
変換左眼画像ＬＣ、左眼画像Ｌ、変換右眼画像ＲＣ、及び右眼画像Ｒは、それぞれ１フレーム区間１Ｆに対応して表示パネル１００の画素に表示される。
【０２０１】
光源部３００は複数の発光ブロックを有し、前記発光ブロックは表示パネル１００のスキャニング方向に沿って順次にターンオンされる。前記発光ブロックは表示パネル１００の表示ブロックに順次に光を提供する。本実施形態において、表示パネル１００は、８個の表示ブロックＤＢ１〜ＤＢ８を含み、光源部３００は８個の発光ブロックを含む。
【０２０２】
光変換メガネ５００は、左眼画像Ｌ及び右眼画像Ｒに対応して開閉時間が調節される。光変換メガネ５００の左眼メガネ５１０及び右眼メガネ５２０は部分的に同時にターンオンされる。
【０２０３】
例えば、図１６において、左眼メガネ５１０は、第２フレームＦ２、第３フレームＦ３、第４フレームＦ４の初期区間、及び第６フレームＦ６間にターンオンされる。右眼メガネ５２０は第１フレームＦ１、第２フレームＦ２の初期区間、第４フレームＦ４、第５フレームＦ５、及び第６フレームＦ６の初期区間の間にターンオンされる。従って、左眼メガネ５１０及び右眼メガネ５２０は、第２フレームＦ２の初期区間、第４フレームＦ４の初期区間、及び第６フレームＦ６の初期区間で同時にターンオンされる。
【０２０４】
本実施形態によると、表示パネル１００の輝度を増加し、立体画像のクロストークを防止して立体画像の表示品質を向上する。
【０２０５】
図１７は本発明のまた他の実施形態に係る表示装置による立体画像表示方法を説明するための概念図である。図１８は図１７の表示装置による立体画像表示方法を説明するための詳細な概念図である。
【０２０６】
本実施形態に係る表示装置及び立体画像表示方法は、光変換メガネ５００の駆動方式を除けば、図１〜図６を参照して説明した表示装置及び立体画像表示方法と実質的に同一であるので、同一又は類似の構成要素に対しては同じ参照番号を使い、重複する説明は省略する。
【０２０７】
図１、図１７、及び図１８を参照すると、表示装置は表示パネル１００、パネル駆動部２００、光源部３００、光源駆動部４００、及び光変換メガネ５００を含む。
【０２０８】
表示パネル１００、光源部３００、及び光変換メガネ５００は同期して駆動される。
【０２０９】
表示パネル１００には変換左眼画像ＬＣ、左眼画像Ｌ、変換右眼画像ＲＣ、及び右眼画像Ｒが順次に表示される。変換左眼画像ＬＣは左眼画像Ｌに基づいて生成され、左眼画像Ｌより小さい階調を有する。左眼画像Ｌは観察者の左眼が視認するべきターゲット階調値を有する。変換右眼画像ＲＣは右眼画像Ｒに基づいて生成され、右眼画像Ｒより小さい階調を有する。右眼画像Ｒは観察者の右眼が視認するべきターゲット階調値を有する。
【０２１０】
変換左眼画像ＬＣ、左眼画像Ｌ、変換右眼画像ＲＣ、及び右眼画像Ｒは、それぞれ１フレーム区間１Ｆに対応して表示パネル１００の画素に表示される。
【０２１１】
光源部３００は複数の発光ブロックを有し、前記発光ブロックは表示パネル１００のスキャニング方向に沿って順次にターンオンされる。前記発光ブロックは表示パネル１００の表示ブロックに順次に光を提供する。本実施形態において、表示パネル１００は、８個の表示ブロックＤＢ１〜ＤＢ８を含み、光源部３００は８個の発光ブロックを含む。
【０２１２】
光変換メガネ５００は、左眼画像Ｌ及び右眼画像Ｒに対応して開閉時間が調節される。光変換メガネ５００の左眼メガネ５１０及び右眼メガネ５２０は部分的に同時にターンオフされる。
【０２１３】
図１８において、左眼メガネ５１０は第１フレームＦ１、第２フレームＦ２の初期区間、第４フレームＦ４、第５フレームＦ５、及び第６フレームＦ６の初期区間の間にターンオフする。右眼メガネ５２０は第２フレームＦ２、第３フレームＦ３、第４フレームＦ４の初期区間、及び第６フレームＦ６間にターンオフする。従って、左眼メガネ５１０及び右眼メガネ５２０は第２フレームＦ２の初期区間、第４フレームＦ４の初期区間、及び第６フレームＦ６の初期区間で同時にターンオフする。
【０２１４】
本実施形態によると、表示パネル１００の輝度を増加し、立体画像のクロストークを防止して立体画像の表示品質を向上する。
【０２１５】
図１９は本発明のまた他の実施形態に係る表示装置を示すブロック図である。
【０２１６】
本実施形態に係る表示装置及び立体画像表示方法は、光変換部材として光変換メガネ５００の代わりにリターダユニット６００を採用することを除けば、図１〜図６を参照して説明した表示装置及び立体画像表示方法と実質的に同一であるので、同一又は類似の構成要素に対しては同じ参照番号を使い、重複する説明は省略する。
【０２１７】
図１９を参照すると、前記表示装置は表示パネル１００、パネル駆動部２００、光源部３００、光源駆動部４００、リターダユニット６００、及びリターダ駆動部７００を含む。
【０２１８】
表示パネル１００は画像を表示する複数の画素Ｐを含む。
【０２１９】
パネル駆動部２００はフレームレート変換部２１０、タイミング制御部２２０、ゲート駆動部２３０、及びデータ駆動部２４０を含む。
【０２２０】
フレームレート変換部２１０は、外部の装置（図示せず）から入力画像データＲＧＢを受信する。フレームレート変換部２１０は入力画像データＲＧＢのフレームレートを変換して第１画像データＦＲＧＢを生成する。フレームレート変換部２１０は第１画像データＦＲＧＢをタイミング制御部２２０に出力する。
【０２２１】
タイミング制御部２２０は外部から入力制御信号を受信する。これとは異なって選択的には、タイミング制御部４００はフレームレート変換部２１０から前記入力制御信号を受信する。
【０２２２】
タイミング制御部２２０は前記入力制御信号に基づいてゲート駆動部２３０の駆動タイミングを制御するための第１制御信号、データ駆動部２４０の駆動タイミングを制御するための第２制御信号及び光源駆動部４００の駆動タイミングを制御するための第３制御信号を生成する。
【０２２３】
タイミング制御部２２０は前記第１制御信号をゲート駆動部２３０に出力する。タイミング制御部２２０は、前記第２制御信号をデータ駆動部２４０に出力する。タイミング制御部２２０は前記第３制御信号を光源駆動部４００に出力する。
【０２２４】
また、タイミング制御部２２０は表示パネル１００に表示される画像に基づいてリターダユニット６００を駆動するためのリターダ制御信号を生成する。タイミング制御部２２０は前記リターダ制御信号をリターダ駆動部７００に出力する。
【０２２５】
リターダユニット６００は表示パネル１００上に配置される。リターダユニット６００は前記光を選択的に遮断して２次元画像を３次元画像に変換する光変換部材である。
【０２２６】
リターダユニット６００はタイミング制御部２２０から受信されるリターダ制御信号に応答して光を選択的に遮断する。
【０２２７】
表示パネル１００、光源部３００、及びリターダユニット６００は同期して駆動される。
【０２２８】
表示パネル１００には変換左眼画像ＬＣ、左眼画像Ｌ、変換右眼画像ＲＣ、及び右眼画像Ｒが順次に表示される。変換左眼画像ＬＣは左眼画像Ｌに基づいて生成され、左眼画像Ｌより小さい階調を有する。左眼画像Ｌは観察者の左眼が視認するべきターゲット階調値を有する。変換右眼画像ＲＣは右眼画像Ｒに基づいて生成され、右眼画像Ｒより小さい階調を有する。右眼画像Ｒは観察者の右眼が視認するべきターゲット階調値を有する。
【０２２９】
変換左眼画像ＬＣ、左眼画像Ｌ、変換右眼画像ＲＣ、及び右眼画像Ｒは、それぞれ１フレーム区間１Ｆに対応して表示パネル１００の画素に表示される。
【０２３０】
光源部３００は複数の発光ブロックを有し、前記発光ブロックは表示パネル１００のスキャニング方向に沿って順次にターンオンされる。前記発光ブロックは表示パネル１００の表示ブロックに順次に光を提供する。本実施形態において、表示パネル１００は、８個の表示ブロックＤＢ１〜ＤＢ８を含み、光源部３００は８個の発光ブロックを含む。
【０２３１】
本発明の一実施形態において、前記表示装置は左眼メガネ及び右眼メガネを含む光変換メガネをさらに含む。リターダユニット６００は左眼画像が表示されるフレームの間に、前記左眼メガネを透過するように左眼画像を偏光するように動作し、且つ、右眼画像が表示されるフレームの間に、前記右眼メガネを透過するように右眼画像を偏光するように動作する。
【０２３２】
リターダユニット６００は、左眼画像Ｌ及び右眼画像Ｒに対応してリターダの配置を調節する。
【０２３３】
本実施形態によると、表示パネル１００の輝度を増加し、立体画像のクロストークを防止して立体画像の表示品質を向上する。
【０２３４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【産業上の利用可能性】
【０２３５】
以上、説明した通り、本発明の実施形態によると、表示パネルに変換左眼画像及び変換右眼画像を表示して立体画像のクロストークを防止し、表示パネルの輝度を増加する。従って、立体画像の表示品質を向上する。
【符号の説明】
【０２３６】
１００      表示パネル
２００      パネル駆動部
２１０      フレームレート変換部
２２０      タイミング制御部
２２２      ＡＣＣ部
２２４      ＤＣＣ部
２２６、２４１      階調変換部
２３０      ゲート駆動部
２４０      データ駆動部
２４２      シフトレジスタ
２４４      ラッチ
２４６      信号処理部
２４８      バッファ部
３００      光源部
４００      光源駆動部
５００      光変換メガネ
５１０      左眼メガネ
５２０      右眼メガネ
６００      リターダユニット
７００      リターダ駆動部
【図１】
2013198166.tif 000003
【図２】
2013198166.tif 000004
【図３】
2013198166.tif 000005
【図４】
2013198166.tif 000006
【図５】
2013198166.tif 000007
【図６】
2013198166.tif 000008
【図７】
2013198166.tif 000009
【図８】
2013198166.tif 000010
【図９】
2013198166.tif 000011
【図１０】
2013198166.tif 000012
【図１１】
2013198166.tif 000013
【図１２】
2013198166.tif 000014
【図１３】
2013198166.tif 000015
【図１４】
2013198166.tif 000016
【図１５】
2013198166.tif 000017
【図１６】
2013198166.tif 000018
【図１７】
2013198166.tif 000019
【図１８】
2013198166.tif 000020
【図１９】
2013198166.tif 000021